(57)【要約】【課題】駆動ユニット、ひいてはドアラッチ装置全体の小型化を図る。【解決手段】駆動用ベースプレート６に枢支され、かつモータ７の回転を減速して出力可能な出力ギヤ７ａと、駆動用ベースプレート６に枢支されるとともに、出力ギヤ７ａに噛合する歯部９ａを有し、かつ予め定められたニュートラル位置から、モータ７の正転によりクローズ方向へ回転し、またモータ７の逆転によりクローズ方向と反対方向のリリース方向へ回動可能なセクタギヤ９と、セクタギヤ９のクローズ方向への回動により、噛合機構をハーフラッチ状態からフルラッチ状態へ移行させるように、セクタギヤ９とラッチ機構とを連結するケーブル３０と、駆動用ベースプレート６における出力ギヤ７ａの近傍に枢着されるとともに、遊端部１０ｃがリリース手段に連係され、セクタギヤ９のリリース方向への回動により、セクタギヤ９と当接し、リリース手段をリリース作動させ得る連結部材１０とを設ける。【選択図】        図１
2004300825.tif 000002
【特許請求の範囲】
【請求項１】
車体とドアとのいずれか一方に設けられ、かつ他方に設けたストライカと係合可能な噛合機構及び該噛合機構と前記ストライカとの係合を解除させるリリース作動可能なリリース手段を有するラッチユニットと、正逆回転可能なモータの正転により、前記噛合機構を前記ストライカと辛うじて係合するハーフラッチ状態から前記ストライカと完全に係合するフルラッチ状態へ移行させ、また前記モータの逆転により、前記リリース手段をリリース作動させる駆動ユニットとを備える車両用ドアラッチ装置において、
前記ラッチユニットに固定される駆動用ベースプレートと、
該駆動用ベースプレートに枢支され、かつ前記モータの回転を減速して出力可能な出力ギヤと、
前記駆動用ベースプレートに枢支されるとともに、前記出力ギヤに噛合する歯部を有し、かつ予め定められたニュートラル位置から、前記モータの正転によりクローズ方向へ回転し、また前記モータの逆転により前記クローズ方向と反対方向のリリース方向へ回動可能なセクタギヤと、
該セクタギヤのクローズ方向への回動により、前記噛合機構をハーフラッチ状態からフルラッチ状態へ移行させるように、前記セクタギヤと前記ラッチユニットとを連結するケーブルと、
前記駆動用ベースプレートにおける前記出力ギヤの近傍に枢着されるとともに、遊端部が前記リリース手段に連係され、前記セクタギヤのリリース方向への回動により、前記セクタギヤと当接し、前記リリース手段をリリース作動させ得る連結部材とを設けたことを特徴とする車両用ドアラッチ装置。
【請求項２】
連結部材の遊端部を、セクタギヤとその枢軸方向に重合させるとともに、前記遊端部とラッチユニットのリリース手段とを、前記遊端部に枢着されたリンクを介して連係した請求項１記載の車両用ドアラッチ装置。
【請求項３】
ラッチユニットに、リリース手段を覆うケーシングを設けるとともに、前記リリース手段の端部を前記ケーシングに設けた長孔を通して外部へ突出させ、前記前記リリース手段の端部と前記連結部材の遊端部とを連係した請求項１または２記載の車両用ドアラッチ装置。
【発明の詳細な説明】
【０００１】
【発明の属する技術分野】
本発明は、ドアが半ドア状態である場合、モータ駆動により、ラッチユニットをハーフラッチ状態からフルラッチ状態に移行させるようにした車両用ドアラッチ装置に関する。
【０００２】
【従来の技術】
従来、車両用ドアラッチ装置において、車体側に固着されたストライカと係脱可能なラッチユニットと、モータ駆動により、ニュートラル位置からリリース方向とクローズ方向との２方向へ回動可能なギヤ等の回動部材を有する駆動ユニットとを備え、回動部材のリリース方向への回動により、ラッチユニットとストライカとの係合を解除し、また、同じくクローズ方向への回動により、ラッチユニットをハーフラッチ状態からフルラッチ状態に移行させるようにしたものがある（例えば、特許文献１参照）。
【０００３】
【特許文献１】
特公平５−２７７４８号公報
【０００４】
【発明が解決しようとする課題】
しかし、上述のような従来の車両用ドアラッチ装置においては、ラッチユニットに連結される２枚のアームが、駆動ユニットにおける回動部材の回転軸方向へ、回動部材と重なり合うように枢支されるため、回動部材が設けられる部分の厚さが大となって、駆動ユニットの大型化を招き、ひいてはドアラッチ装置全体が大型化するおそれがある。
【０００５】
本発明は、従来の技術が有する上記のような問題点に鑑み、駆動ユニット、ひいてはドアラッチ装置全体の小型化を図ることができるようにした車両用ドアラッチ装置を提供することを目的としている。
【０００６】
【課題を解決するための手段】
本発明によると、上記課題は、次のようにして解決される。
（１）車体とドアとのいずれか一方に設けられ、かつ他方に設けたストライカと係合可能な噛合機構及び該噛合機構と前記ストライカとの係合を解除させるリリース作動可能なリリース手段を有するラッチユニットと、正逆回転可能なモータの正転により、前記噛合機構を前記ストライカと辛うじて係合するハーフラッチ状態から前記ストライカと完全に係合するフルラッチ状態へ移行させ、また前記モータの逆転により、前記リリース手段をリリース作動させる駆動ユニットとを備える車両用ドアラッチ装置において、前記ラッチユニットに固定される駆動用ベースプレートと、該駆動用ベースプレートに枢支され、かつ前記モータの回転を減速して出力可能な出力ギヤと、前記駆動用ベースプレートに枢支されるとともに、前記出力ギヤに噛合する歯部を有し、かつ予め定められたニュートラル位置から、前記モータの正転によりクローズ方向へ回転し、また前記モータの逆転により前記クローズ方向と反対方向のリリース方向へ回動可能なセクタギヤと、該セクタギヤのクローズ方向への回動により、前記噛合機構をハーフラッチ状態からフルラッチ状態へ移行させるように、前記セクタギヤと前記ラッチユニットとを連結するケーブルと、前記駆動用ベースプレートにおける前記出力ギヤの近傍に枢着されるとともに、遊端部が前記リリース手段に連係され、前記セクタギヤのリリース方向への回動により、前記セクタギヤと当接し、前記リリース手段をリリース作動させ得る連結部材とを設ける。
【０００７】
（２）上記（１）項において、連結部材の遊端部を、セクタギヤとその枢軸方向に重合させるとともに、前記遊端部とラッチユニットのリリース手段とを、前記遊端部に枢着されたリンクを介して連係する。
【０００８】
（３）上記（１）または（２）項において、ラッチユニットに、リリース手段を覆うケーシングを設けるとともに、前記リリース手段の端部を前記ケーシングに設けた長孔を通して外部へ突出させ、前記前記リリース手段の端部と前記連結部材の遊端部とを連係する。
【０００９】
【発明の実施の形態】
以下、本発明の一実施形態を、図面に基づいて説明する。
図１は、本発明に係わるドアラッチ装置（１）の側面図、図２は、ラッチユニット（３）の側面図、図３は、ラッチユニット（３）の内部構造を示す後面図、図４は、ラッチユニット（３）の正面図、図５は、図４におけるＶ矢視図、図６及び図７は、要部の側面図である。
【００１０】
（１）は、車両のドアの後端内部に取り付けられるドアラッチ装置で、ドアを閉じたとき、車体側に固着されたストライカ（２）（図３に想像線で示す）と係合し、ドアを閉止状態に保持可能なラッチユニット（３）と、ドアを半ドア状態まで閉じたとき、ドアを半ドア状態から全閉状態、すなわちラッチユニット（３）における後述のラッチ（１４）をハーフラッチ位置からフルラッチ位置まで強制的に駆動可能な駆動ユニット（４）とを備えている。
【００１１】
駆動ユニット（４）は、図１に示すように、ラッチユニット（３）の下部にねじ（５）（５）により固定される駆動用ベースプレート（６）と、ベースプレート（６）に固定される正逆回転可能なモータ（７）と、駆動用ベースプレート（６）に枢軸（８）により枢着され、かつモータ（７）により、図１に示す予め定められたニュートラル位置から、リリース方向（図１において時計方向）へ回動した図７に示すリリース位置と、ニュートラル位置からリリース方向と反対方向のクローズ方向（図１において反時計方向）へ回動した図６に示すクローズ位置とに回動可能なセクタギヤ（９）と、ベースプレート（６）に枢軸（１０ａ）により枢着され、かつセクタギヤ（９）のリリース方向への回動に対して連動し、図１に示す待機位置から反時計方向へ回動した図７に示すリリース位置に回動可能な連結部材（１０）と、下端部が連結部材（１０）における上下方向へ移動可能な遊端部（１０ｃ）に連結軸（１１ａ）により回動可能に連結され、かつ上端部がラッチユニット（３）に設けられる後述のインサイドレバー（２８）に連結されるリンク（１１）とを有している。
【００１２】
セクタギヤ（９）は、その外周縁に設けられた歯部（９ａ）が、モータ（７）の回転を減速する図示略の減速機構の出力ギヤ（７ａ）に噛合し、モータ（７）の回転によって、上述の中立位置からクローズ位置とリリース位置とに回動可能であるととともに、枢軸（８）と歯部（９ａ）との間の部分には、円弧状の長孔（９ｂ）が設けられている。長孔（９ｂ）には、ラッチ本体（３）の外周を沿うように配索されたケーブル（３０）の一端部（３０ａ）が摺動可能に嵌合される。
【００１３】
連結部材（１０）は、枢軸（１０ａ）により出力ギヤ（７ａ）の近傍に枢着されるとともに、リンク（１１）の下端部が枢着される遊端部（１０ｃ）は、枢軸（８）（１０ａ）の軸線方向へ、セクタギヤ（９）と重合するように配置される。また、出力部材（１０）における左右方向のほぼ中央下部には、セクタギヤ（９）に設けられた係合部（９ｃ）に対して当接可能な当接部（１０ｂ）が設けられている。このように連結部材（１０）を配置することにより、駆動ユニット（４）におけるセクタギヤ（９）が配置される部分の厚さを薄くすることができ、駆動ユニット（４）の小型化、ひいてはラッチ装置（１）全体の小型化を図ることができる。また、連結部材（１０）とセクタギヤ（９）とを狭いスペース内に配置することができ、駆動用ベースプレート（６）を小さくすることができる。
【００１４】
連結部材（１０）は、セクタギヤ（９）がニュートラル位置からリリース方向へ回動すると、セクタギヤ（９）の係合部（９ｃ）が当接部（１０ｂ）に当接することにより、待機位置からリリース位置へ回動させられる。
【００１５】
ラッチユニット（３）は、合成樹脂製のボディ（１２）を有し、このボディ（１２）の後方を向く収容部（１２ａ）には、ストライカ（２）と係脱可能な噛合機構と、上下方向へ移動可能なクローズレバー（１９）の上部が収容されている。
【００１６】
噛合機構は、図３に示すように、ラッチ軸（１３）をもって枢着されるとともに、ドアの開閉に伴ってストライカ（２）と係脱可能なラッチ（１４）と、ポール軸（１５）をもって枢着されるとともに、ラッチ（１４）のフルラッチ爪部（１４ａ）及びハーフラッチ爪部（１４ｂ）に係脱可能なポール（１６）とから形成される。
【００１７】
クローズレバー（１９）は、上部に設けられた突部（１９ａ）が、ボディ（１２）の上部に枢軸（１７）（図４に示す）により枢着された連結レバー（１８）のガイド孔（１８ａ）に摺動可能に嵌合されるとともに、ボディ（１２）に上下方向へ移動可能に支持され、かつ下端部に設けられた連結部（１９ｃ）がケーブル（３０）の他端部（３０ｂ）に連結される。
【００１８】
なお、図３においては、ボディ（１２）の内部構造を示すため、ボディ（１２）の収容部（１２ａ）を閉塞するためのカバープレート（２０）を取り外した状態を示している。
【００１９】
ラッチ（１４）は、ドアの閉じ動作に伴って、ストライカ（２）から離脱した図示略のオープン位置から、ストライカ（２）と辛うじて係合するハーフラッチ位置（ポール（１６）がラッチ（１４）のハーフラッチ爪部（１４ｂ）に係合する位置）、ストライカ（２）と完全に係合する図３に示すフルラッチ位置へ回動するようになっている。
【００２０】
ドアが半ドア状態、すなわちラッチ（１４）がハーフラッチ位置になると、モータ（７）の正転により、セクタギヤ（９）がニュートラル位置からクローズ位置へ回動させられる。これにより、クローズレバー（１９）は、ケーブル（３０）を介して、図３に示す待機位置から上方へ移動させられて、爪部（１９ｂ）がラッチ（１４）の外周に設けた係合部（１４ｃ）に係合し、ラッチ（１４）をハーフラッチ位置からフルラッチ位置へ回動させる。
【００２１】
ラッチユニット（３）におけるボディ（１２）の前面側には、図４に示すように、リリースレバー（２１）、アウトサイドレバー（２２）、施解錠レバー（２３）、サブレバー（２４）、キャンセルレバー（２５）が設けられている。また、ボディ（１２）の前面側（図４において紙面手前側）に固定されたベースプレート（１２ｂ）には、図２に示すように、インサイドレバー（２８）、オーバーライドレバー（２９）が設けられている。さらに、ボディ（１２）の前面側には、前記各レバーを覆うような形状をした合成樹脂製のケーシング（３１）が取り付けられる。
なお、図２及び図４においては、ラッチユニット（３）の前記各レバーを示すため、ケーシング（３１）を外した状態を示している。
【００２２】
リリースレバー（２１）は、ポール（１６）と一体的に回動し得るように、ボディ（１２）から突出したポール軸（１５）の端部に固着され、リリース方向（図４において時計方向）へ回動することにより、ポール（１６）をラッチ（１４）から離脱させる。
【００２３】
アウトサイドレバー（２２）は、枢軸（２２ａ）によりボディ（１２）に枢着されるとともに、ドアの車外側に設けられた図示略のアウトサイドハンドルが開扉操作されると、リリース方向（図４において反時計方向）へ回動するように、アウトサイドハンドルに連結される。
【００２４】
インサイドレバー（２８）は、枢軸（２８ａ）によりベースプレート（１２ｂ）に枢着されるとともに、ドアの車内側に設けられた図示略のインサイドハンドルに連結され、インサイドハンドルが開扉操作されると、リリース方向（図２において時計方向）へ回動し、その回動をもって、オーバーライドレバー（２９）をリリース方向（図２において反時計方向）へ回動させるように、オーバーライドレバー（２９）に連結される。
【００２５】
オーバーライドレバー（２９）は、枢軸（２９ａ）によりベースプレート（１２ｂ）に枢着され、リリース方向への回動により、リリースレバー（２１）に当接し、リリースレバー（２１）をリリース方向へ回動させる。
【００２６】
インサイドレバー（２８）の端部には、車外側（図５において右方）に向けてほぼ直角に折曲された連結部（２８ｂ）が設けられている。この連結部（２８ｂ）は、ケーシング（３１）に設けられた円弧状の長孔（３１ａ）を通してケーシング（３１）の外部へ突出されるとともに、連結部材（１０）の遊端部に枢着されたリンク（１１）の上端部に設けられた嵌合孔（１１ｂ）に回動可能に嵌合される。これにより、駆動ユニット（４）側に設けられる連結部材（１０）とラッチユニット（３）側に設けられるインサイドレバー（２８）とを、リンク（１１）を介して、ケーシング（３１）の外部で連係することができ、連結作業を容易かつ確実に行うことができる。
【００２７】
インサイドレバー（２８）は、連結部材（１０）が待機位置からリリース位置へセクタギヤ（９）により回動させられることにより、リンク（１１）を介して、リリース方向へ回動させられる。
【００２８】
なお、上述のリリースレバー（２１）と、オーバーライドレバー（２９）と、インサイドレバー２８とによって、本発明におけるリリース手段が形成される。
【００２９】
施解錠レバー（２３）は、枢軸（２３ａ）によりボディ（１２）に枢着されるとともに、ドアの車外側に設けられた図示略のキーシリンダ及び車内側に設けられた図示略のロックノブが解錠操作されると、図４に示す施錠位置から反時計方向へ所定角度回動した解錠位置へ回動し、また、施錠操作されると、解錠位置から施錠位置へ回動するように、キーシリンダ及びロックノブに連結される。
【００３０】
サブレバー（２４）は、施解錠レバー（２３）とアウトサイドレバー（２２）との間に架設され、アウトサイドレバー（２２）のリリース方向への回動に連動して、下方に移動するようになっている。
【００３１】
キャンセルレバー（２５）は、下端部がアウトサイドレバー（２２）の左端部に枢着されるとともに、上端部が連結レバー（１８）の上端に設けられた突起（１８ｂ）に嵌合されることにより、連結レバー（１８）を介してクローズレバー（１９）に連結される。これにより、アウトサイドレバー（２２）がリリース方向へ回動すると、連結レバー（１８）を介して、クローズレバー（１９）の爪部（１９ｂ）をラッチ（１４）の係合部（１４ｃ）から離脱させる。
【００３２】
アウトサイドハンドルが開扉操作されて、アウトサイドレバー（２２）がリリース方向へ回動すると、サブレバー（２４）は下方へ移動する。これにより、施解錠レバー（２３）が施錠位置にあるときは、リリースレバー（２１）に対してサブレバー（２４）が空振りして、ドアを開けることができないが、施解錠レバー（２３）が解錠位置にあるときには、サブレバー（２４）がリリースレバー（２１）に対して係合し、リリースレバー（２１）及びポール（１６）をリリース方向へ回動させ、ドアを開けることができる。
【００３３】
また、インサイドハンドルが開扉操作されるか、またはモータ（７）の逆転によりセクタギヤ（９）がリリース方向へ回動させられると、インサイドレバー（２８）及びオーバーライドレバー（２９）がリリース方向へ回動し、施解錠レバー（２３）及びサブレバー（２４）の位置に関係なく、オーバーライドレバー（２９）がリリースレバー（２１）に対して係合し、リリースレバー（２１）及びポール（１６）をリリース方向へ回動させ、ドアを開けることができる。
【００３４】
次に、上述の実施形態における各作動について説明する。
（クローズ作動）
開放状態にあるドアを閉じると、ラッチユニット（３）のラッチ（１４）は、先ずストライカ（２）と辛うじて係合するハーフラッチ位置に回動する。これにより、図示略のハーフラッチ検出スイッチがラッチ（１４）のハーフラッチ位置を検出し、モータ（７）は正転制御される。
【００３５】
セクタギヤ（９）は、図１に示すニュートラル位置から、図６に示すクローズ位置へ回動し、ケーブル（３０）を介して、クローズレバー（１９）を待機位置からクローズ方向へ移動させて、ラッチ（１４）をハーフラッチ位置からフルラッチ位置へ強制的に回動させることにより、ドアを半ドア状態から全閉状態に移動させる。ドアが全閉状態になると、図示略のフルラッチ検出スイッチにより、ラッチ（１４）のフルラッチ位置が検出され、モータ（７）が反転制御される。これにより、セクタギヤ（９）はニュートラル位置に復帰して、その位置に停止する。
【００３６】
（リリース作動）
運転席近傍に設けられた操作スイッチまたはリモートコントロールスイッチが操作されると、モータ（７）が逆転制御され、セクタギヤ（９）は、ニュートラル位置からリリース方向へ回動させられる。
【００３７】
セクタギヤ（９）が、図７に示すように、リリース位置へ回動すると、セクタギヤ（９）の係合部（９ｃ）に対して連結部材（１０）の当接部（１０ｂ）が当接することにより、出力部材（１０）は、待機位置からリリース位置に回動させられ、リンク（１１）を上方へ移動させる。
【００３８】
インサイドレバー（２８）は、リンク（１１）の上方への移動に伴って、リリース方向へ回動させられ、オーバーライドレバー（２９）、リリースレバー（２１）を介して、ポール（１６）をリリース方向へ回動させて、ラッチ（１４）から離脱させ、ドアを開けることができる。
【００３９】
【発明の効果】
本発明によれば、次のような効果を奏することができる。
（ａ）請求項１記載の発明によると、ラッチユニット側に設けられるリリース手段に連結される駆動ユニット側の連結部材を、駆動用ベースプレートにおける出力ギヤの近傍に枢着するとともに、セクタギヤのリリース方向への回動に対して、セクタギヤと当接することにより、リリース手段をリリース作動させ得るようにしたので、駆動ユニットにおける厚さを薄くすることができ、駆動ユニットの小型化、ひいてはドアラッチ装置全体の小型化を図ることができる。
【００４０】
（ｂ）請求項２記載の発明によると、請求項１に係わる発明の効果に加えて、連結部材とセクタギヤとを狭いスペース内に配置することができ、駆動用ベースプレートを小さくすることができる。
【００４１】
（ｃ）請求項３記載の発明によると、請求項１または２に係わる発明の効果に加えて、連結部材とリリース手段とを、ケーシングの外側で連結することができ、連結作業を容易かつ確実に行うことができる。
【図面の簡単な説明】
【図１】本発明に係わるドアラッチ装置の側面図である。
【図２】同じく、ラッチユニットの側面図である。
【図３】同じく、ラッチユニットの内部構造を示す後面図である。
【図４】同じく、ラッチユニットの正面図である。
【図５】図４におけるＶ矢視図である。
【図６】クローズ作動した状態の要部の側面図である。
【図７】リリース作動した状態の要部の側面図である。
【符号の説明】
（１）ドアラッチ装置
（２）ストライカ
（３）ラッチユニット
（４）駆動ユニット
（５）ねじ
（６）駆動用ベースプレート
（７）モータ
（７ａ）出力ギヤ
（８）枢軸
（９）セクタギヤ
（９ａ）歯部
（９ｂ）長孔
（９ｃ）係合部
（１０）連結部材
（１０ａ）枢軸
（１０ｂ）当接部
（１０ｃ）遊端部
（１１）リンク
（１１ａ）連結軸
（１１ｂ）嵌合孔
（１２）ボディ
（１２ａ）収容部
（１２ｂ）ベースプレート
（１３）ラッチ軸
（１４）ラッチ（噛合機構）
（１４ａ）フルラッチ爪部
（１４ｂ）ハーフラッチ爪部
（１４ｃ）係合部
（１５）ポール軸
（１６）ポール（噛合機構）
（１７）枢軸
（１８）連結レバー
（１８ａ）ガイド孔
（１８ｂ）突起
（１９）クローズレバー
（１９ａ）突部
（１９ｂ）爪部
（１９ｃ）連結部
（２０）カバープレート
（２１）リリースレバー（リリース手段）
（２２）アウトサイドレバー
（２２ａ）枢軸
（２３）施解錠レバー
（２３ａ）枢軸
（２４）サブレバー
（２５）キャンセルレバー
（２８）インサイドレバー（リリース手段）
（２８ａ）枢軸
（２８ｂ）連結部
（２９）オーバーライドレバー（リリース手段）
（２９ａ）枢軸
（３０）ケーブル
（３０ａ）一端部
（３０ｂ）他端部
（３１）ケーシング
（３１ａ）長孔
【図１】
2004300825.tif 000003
【図２】
2004300825.tif 000004
【図３】
2004300825.tif 000005
【図４】
2004300825.tif 000006
【図５】
2004300825.tif 000007
【図６】
2004300825.tif 000008
【図７】
2004300825.tif 000009